(57)【要約】【課題】ブレスレットを購入した人が、自分で容易にサイズ調整することができるブレスレットを提供する。【解決手段】孔付きの複数の玉１に弾性細紐２を挿通したリング状ブレスレットに於て、孔の内径よりも大きいコイル中心径を有するコイル型サイズ調整部材３を、隣り合う玉１と玉１の間において弾性細紐２に外嵌状として着脱可能に取付ける。【選択図】図１
2009034434.tif 000002
【特許請求の範囲】
【請求項１】
孔（１ａ）付きの複数の玉（１）に弾性細紐（２）を挿通したリング状ブレスレットに於て、上記孔（１ａ）の内径（ｄ）よりも大きいコイル中心径（Ｄ）を有するコイル型サイズ調整部材（３）を、隣り合う上記玉（１）と玉（１）の間において上記弾性細紐（２）に外嵌状として着脱可能に取付けたことを特徴とするブレスレット。
【請求項２】
孔（１ａ）付きの複数の玉（１）に弾性細紐（２）を挿通したリング状ブレスレットに用いられるサイズ調整部材（３）であって、上記孔（１ａ）の内径（ｄ）よりも大きいコイル中心径（Ｄ）を有するコイル型であり、かつ、切断自在な素材から成ることを特徴とするブレスレットのサイズ調整部材。
【請求項３】
上記コイル中心径（Ｄ）を 1.5mm以上７mm以下に設定した請求項２記載のブレスレットのサイズ調整部材。
【発明の詳細な説明】
【技術分野】
【０００１】
本発明は、ブレスレット及びそのサイズ調整部材に関する。
【背景技術】
【０００２】
一般に、水晶、ローズクォーツ、翡翠等の天然石やプラスチック樹脂等からなる孔付きの複数の玉に線状体を挿通してリング状としたブレスレットがよく知られている（例えば、特許文献１参照）。
【０００３】
しかし、ブレスレットのサイズは、一定であり、変更不可能であるという欠点があった。すなわち、人それぞれに異なる手首の周囲長さや装着感の好みに対応させるために、複数のサイズ（例えば、周囲長16cmのＳサイズ、周囲長17cmのＭサイズ、周囲長18cmのＬサイズ）のブレスレットを製作して販売する必要があった。また、線状体が弾性細紐から成る場合に、弾性細紐をブレスレットの購入者が自ら切断して手直ししようとすると、再度弾性細紐を結ぶ際、結び目を小さくして玉の孔の中に隠すのは困難であり（すなわち熟練した技術が必要であり）、結び目が外から見えて外観が悪くなる。また、製造者が、線状体が弾性細紐から成るブレスレットを製造する際、弾性細紐の結び目を隠すための大径孔を有する玉を１個配設したものもあるが、製造に手間がかかる。
【特許文献１】特開平７−１１１９０７号公報
【発明の開示】
【発明が解決しようとする課題】
【０００４】
解決しようとする課題は、複数のサイズのブレスレットを製作して販売する必要がある点である。また、ブレスレットを購入した人が、自分で容易にサイズを調整することができない点である。また、容易に結び目を隠すことができない点である。また、容易に製造することができない点である。
【課題を解決するための手段】
【０００５】
そこで、本発明に係るブレスレットは、孔付きの複数の玉に弾性細紐を挿通したリング状ブレスレットに於て、上記孔の内径よりも大きいコイル中心径を有するコイル型サイズ調整部材を、隣り合う上記玉と玉の間において上記弾性細紐に外嵌状として着脱可能に取付けたものである。
【０００６】
また、本発明に係るブレスレットのサイズ調整部材は、孔付きの複数の玉に弾性細紐を挿通したリング状ブレスレットに用いられるサイズ調整部材であって、上記孔の内径よりも大きいコイル中心径を有するコイル型であり、かつ、切断自在な素材から成るものである。また、上記コイル中心径を 1.5mm以上７mm以下に設定したものである。
【発明の効果】
【０００７】
本発明のブレスレットによれば、サイズ別に商品（ブレスレット）を製作する必要がない。すなわち、ブレスレットを購入した人が、自分で容易にサイズ調整することができる。また、容易に結び目を隠すことができる。また、結び目を隠すための特別な玉を用いないので、容易に製造することができる。さらに、サイズ調整部材をファッション（デザイン）の一部として楽しむことができる。
【０００８】
また、本発明のブレスレットのサイズ調整部材によれば、孔付きの複数の玉に弾性細紐を挿通したリング状ブレスレットを、自分で容易にサイズ調整することができる。また、ブレスレットの弾性細紐の結び目を容易に隠すことができる。さらに、サイズ調整部材を切断することにより、サイズ及びファッション（デザイン）の両方を所望のものとすることができ、楽しむことができる。
【発明を実施するための最良の形態】
【０００９】
図１は、本発明の実施の一形態を示す。このブレスレットは、着脱自在なサイズ調整部材３（後述）を備える。そして、図２に示すように、サイズ調整部材３を取外すと、ブレスレットの周囲長Ｌが短くなる。すなわち、サイズ調整部材３を取付けた状態（図１）に於ける弾性細紐２の長さＬ1 より、サイズ調整部材３を取外した状態（図２）に於けるブレスレットの弾性細紐２の長さＬ2 が、短い。図１は大きなサイズのブレスレットを示し、図２は小さなサイズのブレスレットを示すと言える。
【００１０】
具体的には、孔１ａ（図３、図４参照）付きの複数の玉１（例えば球状の天然石から成る）に弾性細紐２（例えばシリコンゴムから成る）を挿通したリング状ブレスレットであって、サイズ調整部材３（後述）が、隣り合う玉１と玉１の間において弾性細紐２に外嵌状として着脱可能に取付けられている。
【００１１】
図３は、弾性細紐２を、その結び目４の近傍位置に於て、引張力Ｆを与えて伸長させた状態を示す。引張力Ｆを与えない状態では、結び目４が、サイズ調整部材３の中に挿入、配設されている（図示省略）。
【００１２】
次に、図１〜図５に於て、ブレスレットのサイズ調整部材３について説明する。孔１ａ付きの複数の玉１に弾性細紐２を挿通したリング状ブレスレットに用いられるサイズ調整部材３であって、孔１ａの内径ｄよりも大きいコイル中心径Ｄを有するコイル型である。サイズ調整部材３は、切断自在な素材から成る。例えば、プラスチック、金属（針金）等から成る。特に、透明プラスチック、鮮やかな色（赤、黄、白、黒等）の樹脂層にて被覆された針金等が、デザイン上、好ましい。
【００１３】
コイル中心径Ｄが 1.5mm以上７mm以下に設定されている。コイル中心径Ｄが 1.5mm未満の場合、結び目４を隠しにくくなる。すなわち、結び目４をサイズ調整部材３の中に挿入、配設しづらくなる。コイル中心径Ｄが７mmを超える場合、小さな玉１に対応できなくなる。すなわち、サイズ調整部材３に隣接する玉１が小さいと、その玉１がサイズ調整部材３の中に入ってしまう。
【００１４】
次に、サイズ調整部材３を着脱する方法について述べる。サイズ調整部材３を取外す方法は、例えば、サイズ調整部材３を構成する線材３ａの端部３ｂよりサイズ調整部材３の軸心ｐ方向内側に、弾性細紐２をずらしたのち、サイズ調整部材３を軸心ｐ廻りにくるくると回転させる。あるいは、弾性細紐２が線材３ａの螺旋型隙間ｓをたどるように、かつ、サイズ調整部材３の外径Ａより大きな円を描くように、弾性細紐２の一部２ａをくるくると動かすことによって、サイズ調整部材３を取外すことができる。サイズ調整部材３を取付けるには、上記のような取外し手順の逆を行えば良い。
【００１５】
本発明は、設計変更可能であって、例えば、玉１の材質は、天然石に限らず、合成樹脂、天然木等であっても良い。また、玉１の形状は、例えば、ハート型、勾玉型、角型等であっても良い。また、複数種類の玉１を有するブレスレットであっても良い。また、弾性細紐２の材質は、例えば、シリコン以外の弾性を有する合成ゴムであっても良い。また、ひとつのブレスレットに配設するサイズ調整部材３の個数は増減自在であって、例えば、１個、２個、４個とするも良い。また、サイズ調整部材３の配設位置を（等間隔ではなく）不規則的とするも良い。なお、本発明のブレスレットをストラップに応用することもできる。
【００１６】
以上のように、本発明のブレスレットは、孔１ａ付きの複数の玉１に弾性細紐２を挿通したリング状ブレスレットに於て、孔１ａの内径ｄよりも大きいコイル中心径Ｄを有するコイル型サイズ調整部材３を、隣り合う玉１と玉１の間において弾性細紐２に外嵌状として着脱可能に取付けたので、サイズ別に商品（ブレスレット）を製作する必要がない。各人の手首周りの個人差に対応して、サイズ調整することができる。すなわち、ブレスレットを購入した人が、サイズ調整部材３を着脱することにより、自分で容易に（弾性細紐２を切断したり、結んだり、結び目４を玉１の中に隠したりするという手間なしに）サイズ調整することができる。また、不要になった場合でも、弾性細紐２を切断せずに取外すことができる。
【００１７】
また、サイズ調整部材３がコイル型なので、取付け後、外れにくい。特に、弾性細紐２の弾性力によって、隣合う玉１と玉１がサイズ調整部材３に圧接し、サイズ調整部材３が回転しにくくなる。サイズ調整部材３が玉１の孔１ａの中に入ることを防止することができる。また、サイズ調整部材３の中に結び目４を入れて、容易に結び目４を隠すことができる。また、サイズ調整部材３は、ブレスレット全体が略円形状に弯曲するのを妨げない。また、結び目４を隠すための孔１ａの内径ｄが大きい特別な（他の玉１と異なる）玉１を用いないので、容易に製造することができる。さらに、サイズ調整部材３がコイル型なので、デザイン上、面白い。そして、サイズ調整部材３をファッション（デザイン）の一部として楽しむことができる。
【００１８】
また、本発明のサイズ調整部材３は、孔１ａ付きの複数の玉１に弾性細紐２を挿通したリング状ブレスレットに用いられるサイズ調整部材３であって、孔１ａの内径ｄよりも大きいコイル中心径Ｄを有するコイル型であり、かつ、切断自在な素材から成るので、孔１ａ付きの複数の玉１に弾性細紐２を挿通した既存のリング状ブレスレットを、サイズ調整部材３を着脱することにより、自分で容易に（弾性細紐２を切断したり、結んだり、結び目４を玉１の中に隠したりするという手間なしに）サイズ調整することができる。特に、サイズ調整部材３を所望の長さに切断することにより、容易にブレスレットの長さを微調整することができる。また、不要になった場合でも、弾性細紐２を切断せずに取外すことができる。
【００１９】
また、コイル型なので、取付け後、外れにくい。特に、弾性細紐２の弾性力によって、隣合う玉１と玉１がサイズ調整部材３に圧接し、サイズ調整部材３が回転しにくくなる。サイズ調整部材３が玉１の孔１ａの中に入ることを防止することができる。また、ブレスレットの弾性細紐２の結び目４を、サイズ調整部材３の中に入れて、容易に隠すことができる。また、サイズ調整部材３は、ブレスレット全体が略円形状に弯曲するのを妨げない。さらに、コイル型なので、デザイン上、面白い。そして、サイズ調整部材３を切断することにより、サイズ及びファッション（デザイン）の両方を所望のものとすることができ、楽しむことができる。
【００２０】
コイル中心径Ｄを 1.5mm以上７mm以下に設定したので、一般的な大きさ（４mm以上12mm以下くらい）の玉１を連結したブレスレットに対して用いることができる。
【図面の簡単な説明】
【００２１】
【図１】本発明のブレスレットの実施の一形態を示す正面図である。
【図２】サイズ調整部材を取外した状態を示す正面図である。
【図３】要部拡大説明図である。
【図４】玉を示す側面図である。
【図５】サイズ調整部材を示す側面図である。
【符号の説明】
【００２２】
１  玉
１ａ  孔
２  弾性細紐
３  サイズ調整部材
Ｄ  コイル中心径
ｄ  内径
【図１】
2009034434.tif 000003
【図２】
2009034434.tif 000004
【図３】
2009034434.tif 000005
【図４】
2009034434.tif 000006
【図５】
2009034434.tif 000007